(57)【要約】      （修正有）【課題】静電容量式センサで誤動作が生じることを防止しつつ電磁結合型の無線モジュールに接続されるコイルと静電容量式センサとを近接配置可能とすること。【解決手段】電子機器１０は、静電容量式の指紋センサ１６１の出力信号に基づいて検出対象を検出する第１の処理を実行するＦＰＲ処理部１６３と、電磁結合型の無線モジュール（ＮＦＣモジュール１５）に接続され、且つ、静電容量式のセンサに近接配置されたＮＦＣコイル２０から交番磁束を放射させることにより、無線を用いた第２の処理を実行するＮＦＣ処理部１５１と、を備える。ＮＦＣ処理部は、第１の処理の動作状態に応じて第２の処理の動作を制御する。【選択図】図１０
2020017787.tif 000002
【特許請求の範囲】
【請求項１】
静電容量式センサの出力信号に基づいて検出対象を検出する第１の処理を実行する第１処理部と、
電磁結合型の無線モジュールに接続され且つ前記静電容量式センサに近接配置されたコイルから交番磁束を放射させることにより無線を用いた第２の処理を実行する第２処理部と、
を備え、
前記第２処理部は、前記第１の処理の動作状態に応じて前記第２の処理の動作を制御する、
電子機器。
【請求項２】
前記第２処理部は、前記第１の処理の動作状態に応じて前記コイルから交番磁束を放射させるか否かを制御する、
請求項１に記載の電子機器。
【請求項３】
前記第２処理部は、前記第１の処理が終了されたことに応じて前記コイルから交番磁束を放射させるように制御する、
請求項２に記載の電子機器。
【請求項４】
前記第２処理部は、前記第１の処理が開始される際に、前記コイルから交番磁束を放射させないように制御し、
前記第１処理部は、前記第２処理部が前記コイルから交番磁束を放射させないように制御した後、前記第１の処理を開始する、
請求項２または請求項３に記載の電子機器。
【請求項５】
前記第１処理部は、開始した前記第１の処理が所定時間以上終了しない場合には前記第１の処理を停止し、
前記第２処理部は、前記第１の処理が所定時間以上終了しない場合には前記コイルから交番磁束を放射させるように制御する、
請求項４に記載の電子機器。
【請求項６】
前記第１処理部及び前記第２処理部は、前記第１の処理と前記第２の処理とを所定の条件で交互に実行させる、
請求項５に記載の電子機器。
【請求項７】
前記静電容量式センサは、指紋を検出する指紋センサであり、
前記第１処理部は、
前記指紋センサの出力信号に基づいて指紋を検出することにより指紋認証を行う、
請求項１から請求項６のいずれか一項に記載の電子機器。
【請求項８】
前記静電容量式センサと、
前記コイルと、
を備え、
前記電子機器の筐体のうち金属で覆われていない開口部に対応する位置に、前記静電容量式センサ及び前記コイルが配置されている、
請求項１から請求項７のいずれか一項に記載の電子機器。
【請求項９】
静電容量式センサと、
電磁結合型の無線モジュールに接続され且つ前記静電容量式センサに近接配置されたコイルと、
を備える電子部品。
【請求項１０】
前記静電容量式センサと前記コイルとは、重ねて配置されている、
請求項９に記載の電子部品。
【請求項１１】
前記コイルは、前記静電容量式センサの周囲を囲むよう配置されている、
請求項９または請求項１０に記載の電子部品。
【請求項１２】
電子機器における制御方法であって、
第１処理部が、静電容量式センサの出力信号に基づいて検出対象を検出する第１の処理を実行する第１処理ステップと、
第２処理部が、電磁結合型の無線モジュールに接続され且つ前記静電容量式センサに近接配置されたコイルから交番磁束を放射させることにより無線を用いた第２の処理を実行する第２処理ステップと、
を有し、
前記第２処理ステップにおいて、前記第１の処理の動作状態に応じて前記第２の処理の動作を制御する、
制御方法。
【請求項１３】
コンピュータに、
静電容量式センサの出力信号に基づいて検出対象を検出する第１の処理を実行する第１処理ステップと、
電磁結合型の無線モジュールに接続され且つ前記静電容量式センサに近接配置されたコイルから交番磁束を放射させることにより無線を用いた第２の処理を実行する第２処理ステップと、
前記第２処理ステップにおいて、前記第１の処理の動作状態に応じて前記第２の処理の動作を制御する制御ステップと、
を実行させるためのプログラム。
【発明の詳細な説明】
【技術分野】
【０００１】
本発明は、電子機器、電子部品、制御方法、及びプログラムに関する。
【背景技術】
【０００２】
ＮＦＣ（Ｎｅａｒ Ｆｉｅｌｄ Ｃｏｍｍｕｎｉｃａｔｉｏｎ）フォーラムという標準化団体が技術仕様を策定しＩＳＯ/ＩＥＣ１４４４３、ＩＳＯ/ＩＥＣ１８０９２として規定した通信規格のＮＦＣは、電磁結合型の無線通信のアンテナとなるＮＦＣコイル同士を２センチメートルから４センチメートル程度以下まで接近させて通信を行うことができる。例えば、ラップトップ型のパーソナルコンピュータ（Ｐｅｒｓｏｎａｌ Ｃｏｍｐｕｔｅｒ：ＰＣ）やスマートフォンなどの電子機器には、ＮＦＣをサポートするものがある。例えば、ＮＦＣをサポートしているラップトップ型のＰＣでは、ＮＦＣコイルから放射される磁束がノイズとなってタッチパッドに誤動作を生じさせる場合がある。そのため、ＮＦＣコイルから磁束を放射している間だけタッチパネルの検出感度を低下させることで誤動作を防止する技術が開示されている（例えば、特許文献１）。
【０００３】
また、近年、ＰＣやスマートフォンなどの不正使用を防止するために、ユーザが本人であることを確認するための手段の一つとして、ユーザの指の指紋を検出して指紋認証を行うＦＰＲ（Ｆｉｎｇｅｒｐｒｉｎｔ Ｒｅａｄｅｒ）が搭載されている電子機器もあり、ＰＣやスマートフォン等の多機能化が進んでいる。
【先行技術文献】
【特許文献】
【０００４】
【特許文献１】特許第６１９３４５０号公報
【発明の概要】
【発明が解決しようとする課題】
【０００５】
上述したように、ラップトップ型のＰＣやスマートフォンなどの電子機器において、ＮＦＣやＦＰＲの搭載など多機能化が進むと、電子機器の限られたスペースにそれらの機能モジュールをなるべく効率的に配置することが望まれる。しかしながら、ＦＰＲに使用される指紋センサには静電容量式のものがあり、ＮＦＣの無線モジュールとＦＰＲの静電容量式センサの両方を搭載した場合には、ＮＦＣコイルから放射される磁束が静電容量式センサに影響した場合に誤動作を生じさせる懸念がある。これに対し、特許文献１に記載の技術では、ＮＦＣコイルから磁束を放射している間だけタッチパネルの検出感度を低下させることでタッチパネルの誤動作を防止しているが、ＦＰＲの場合には指紋を検出するために一定の時間が必要であるため、仮にＮＦＣコイルから磁束を放射している間ＦＰＲの検出感度を低下させてしまうと正しく検出できなくなる。このように、指紋の検出中にＮＦＣコイルから磁束が放射されてしまうと、当該磁束の影響を受けた静電容量式センサで誤動作が生じてしまうという課題がある。
【０００６】
本発明は、上記した事情に鑑みてなされたもので、静電容量式センサで誤動作が生じることを防止しつつ電磁結合型の無線モジュールに接続されるコイルと静電容量式センサとを近接配置可能とした電子機器、制御方法、及びプログラムを提供することを目的の一つとする。
【課題を解決するための手段】
【０００７】
本発明は上記の課題を解決するためになされたものであり、本発明の第１態様に係る電子機器は、静電容量式センサの出力信号に基づいて検出対象を検出する第１の処理を実行する第１処理部と、電磁結合型の無線モジュールに接続され且つ前記静電容量式センサに近接配置されたコイルから交番磁束を放射させることにより無線を用いた第２の処理を実行する第２処理部と、を備え、前記第２処理部は、前記第１の処理の動作状態に応じて前記第２の処理の動作を制御する。
【０００８】
前記第２処理部は、前記第１の処理の動作状態に応じて前記コイルから交番磁束を放射させるか否かを制御してもよい。
【０００９】
前記第２処理部は、前記第１の処理が終了されたことに応じて前記コイルから交番磁束を放射させるように制御してもよい。
【００１０】
前記第２処理部は、前記第１の処理が開始される際に、前記コイルから交番磁束を放射させないように制御し、前記第１処理部は、前記第２処理部が前記コイルから交番磁束を放射させないように制御した後、前記第１の処理を開始してもよい。
【００１１】
前記第１処理部は、開始した前記第１の処理が所定時間以上終了しない場合には前記第１の処理を停止し、前記第２処理部は、前記第１の処理が所定時間以上終了しない場合には前記コイルから交番磁束を放射させるように制御してもよい。
【００１２】
前記第１処理部及び前記第２処理部は、前記第１の処理と前記第２の処理とを所定の条件で交互に実行させてもよい。
【００１３】
前記静電容量式センサは、指紋を検出する指紋センサであってもよく、前記第１処理部は、前記指紋センサの出力信号に基づいて指紋を検出することにより指紋認証を行ってもよい。
【００１４】
上記電子機器は、前記静電容量式センサと、前記コイルと、を備え、前記電子機器の筐体のうち金属で覆われていない開口部に対応する位置に、前記静電容量式センサ及び前記コイルが配置されてもよい。
【００１５】
また、本発明の第２態様に係る電子部品は、静電容量式センサと、電磁結合型の無線モジュールに接続され且つ前記静電容量式センサに近接配置されたコイルと、を備える。
【００１６】
前記静電容量式センサと前記コイルとは、重ねて配置されてもよい。
【００１７】
前記コイルは、前記静電容量式センサの周囲を囲むよう配置されてもよい。
【００１８】
また、本発明の第３態様に係る電子機器における制御方法は、第１処理部が、静電容量式センサの出力信号に基づいて検出対象を検出する第１の処理を実行する第１処理ステップと、第２処理部が、電磁結合型の無線モジュールに接続され且つ前記静電容量式センサに近接配置されたコイルから交番磁束を放射させることにより無線を用いた第２の処理を実行する第２処理ステップと、を有し、前記第２処理ステップにおいて、前記第１の処理の動作状態に応じて前記第２の処理の動作を制御する。
【００１９】
また、本発明の第４態様に係るプログラムは、コンピュータに、静電容量式センサの出力信号に基づいて検出対象を検出する第１の処理を実行する第１処理ステップと、電磁結合型の無線モジュールに接続され且つ前記静電容量式センサに近接配置されたコイルから交番磁束を放射させることにより無線を用いた第２の処理を実行する第２処理ステップと、前記第２処理ステップにおいて、前記第１の処理の動作状態に応じて前記第２の処理の動作を制御する制御ステップと、を実行させる。
【発明の効果】
【００２０】
本発明の上記態様によれば、静電容量式センサで誤動作が生じることを防止しつつ電磁結合型の無線モジュールに接続されるコイルと静電容量式センサとを近接配置可能とするとことができる。
【図面の簡単な説明】
【００２１】
【図１】静電容量式の指紋センサの原理を説明するための模式図。
【図２】第１の実施形態に係る電子機器の一例を示す図。
【図３】第１の実施形態に係る指紋センサとＮＦＣコイルとの配置関係を示す模式図。
【図４】電子機器に備えられたＮＦＣコイルとＮＦＣカードに備えられたＮＦＣコイルとが電磁結合するときの様子を説明する図。
【図５】第１の実施形態に係る制御の概要を示す図。
【図６】ＦＰＲモジュールの上面図。
【図７】ＦＰＲモジュールの断面図。
【図８】ＦＰＲモジュールのトップシートと樹脂フレームを取り除いた上面図。
【図９】ＦＰＲモジュールのさらにＦＰＣを取り除いた上面図。
【図１０】第１の実施形態に係る電子機器の構成の一例を示すブロック図。
【図１１】無線通信処理における磁束の放射タイミングの一例を示す図。
【図１２】指紋認証処理における指紋検出タイミングの一例を示す図。
【図１３】指紋認証処理の動作状態に応じた無線通信処理の制御タイミングの一例を示す図。
【図１４】第１の実施形態に係る処理の一例を示すフローチャート。
【図１５】第２の実施形態に係る処理の一例を示すフローチャート。
【図１６】第３の実施形態に係る処理の一例を示すフローチャート。
【発明を実施するための形態】
【００２２】
以下、図面を参照しながら本発明の実施形態について詳しく説明する。なお、各図において同一部分には同一符号を付している。
【００２３】
［第１の実施形態］
本発明の第１の実施形態について説明する。
本実施形態では、電磁結合型の無線通信と静電容量式センサを使用した指紋認証とをサポートする電子機器の構成について説明する。
【００２４】
（電磁結合型の無線通信）
まず、電磁結合型の無線通信について説明する。多くの無線通信では、送信アンテナが放射したエネルギーが電磁波となって空間を伝搬し、受信アンテナが空間の電磁波からエネルギーを吸収する。送信アンテナに交流電圧を印加すると高周波電流が流れてアンテナの周辺に電界と磁界（電磁界）が発生する。無線通信に利用する電磁波は、電界と磁界が相互に連鎖するように生成されて長い距離を伝搬する。データは搬送波となる電磁波をベースバンド信号で変調して伝送することができる。
【００２５】
他方で、送信コイルに交流電流を流すと近傍の空間に交番磁界が発生する。交番磁界は空間の透磁率に応じた大きさの交番磁束を生成し、当該交番磁束と鎖交した受信コイルには電磁誘導で電圧が誘起される。この現象を電磁誘導または電磁結合といい無線通信に利用することができる。送信コイルも交流電流が流れると電磁波を放射するが、接近するコイル同士の電磁結合を利用して通信する方式を、電磁波を利用する通信方式と区別して電磁結合型の無線通信という。
【００２６】
電磁結合型の無線通信は、ＮＦＣ（Ｎｅａｒ Ｆｉｅｌｄ Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｅｒ）、およびＦｅｌｉｃａ（登録商標）などで採用されている。また、電磁結合型の無線通信は、無線による電力伝送でも採用されている。電磁結合型の無線通信では搬送波が交番磁束となり、通信距離は電磁結合が可能な近傍磁界の範囲になるため通信距離は短い。電磁結合型の無線通信では、送信コイルの近傍に多量の交番磁束が発生するため無線モジュールを電子機器に搭載するとノイズ源になりやすい。
【００２７】
ＮＦＣには、リーダ・ライタが電源をもたない非接触ＩＣカード（以下、「ＮＦＣカード」と称する）と通信を行うパッシブ通信と、電源を備えた２つの機器が交互にイニシエータとターゲットになって通信するアクティブ通信が定義されている。パッシブ通信において、イニシエータとして動作するポーリング・デバイスは、ターゲットとなるリスニング・デバイスに対してエネルギーを供給するために強い交番磁束を放射する。
【００２８】
（静電容量式センサを使用した指紋認証）
次に、静電容量式センサを使用した指紋認証（ＦＰＲ：Ｆｉｎｇｅｒｐｒｉｎｔ Ｒｅａｄｅｒ）について説明する。
図１は、静電容量式の指紋センサの原理を説明するための模式図である。この図は、指紋センサ１６１の断面を表している。指紋センサ１６１は、上面に設けられた保護膜１６１１の下側にマトリクス状に複数の電極１６１２が配置されている（図示する例では、横方向に複数の電極が配置されているが、奥行方向にも複数の電極が配置されている）。指紋センサ１６１にタッチした指の指紋の凹凸（符号６０参照）により、保護膜１６１１に直接触れている凸の部分の下にある電極には、保護膜１６１１に直接触れていない凹の部分の下にある電極よりも多くの電荷６０１がたまる。この指紋の凹凸によって電荷６０１のたまり方が異なることを利用して指紋を検出することができる。例えば、ＦＰＲは、ユーザの指紋を検出して登録しておくことで、以降に検出した指紋を登録した指紋と照合し、ユーザ本人であるかの指紋認証を行うことができる。
【００２９】
（電子機器の概要）
次に、本実施形態に係る電子機器の概要について説明する。
図２は、本実施形態に係る電子機器の一例を示す図である。電子機器１０は、電磁結合型の無線通信としてＮＦＣによるパッシブ通信と、静電容量式センサを用いたＦＰＲとをサポートするラップトップ型のパーソナルコンピュータ（Ｐｅｒｓｏｎａｌ Ｃｏｍｐｕｔｅｒ：ＰＣ）である。（Ａ）は、電子機器１０の外観全体の斜視図である。（Ｂ）は、（Ａ）の破線で囲んだ部分の拡大図である。電子機器１０は、表示部１１と、キーボード１２１と、タッチパッド１２２とを備えている。また、電子機器１０は、一部または全部が金属部材を用いた筐体で覆われており、タッチパッド１２２の右横のスペースには開口部５が設けられている。開口部５は、金属部材で覆われていない領域であり、例えば筐体に設けられた穴である。なお、開口部５は、導電性を持たない部材（樹脂部材など）を用いた領域であってもよい。
【００３０】
開口部５は、ユーザの指の指紋を検出するために設けられた穴であり、この穴に対応する場所にＦＰＲモジュール１６が配置されている。ＦＰＲモジュール１６には、静電容量式の指紋センサ１６１と、ユーザに指紋認証を促すためのガイド用のＬＥＤ１６２と、ＮＦＣの送信コイルであるＮＦＣコイル２０とが配置されている。指紋センサ１６１は、開口部５の内側に配置されており、この開口部５に対して接触される指の指紋を検出する。また、ＮＦＣコイル２０も、放射する磁束が妨げられないように、開口部５の内側に配置されている。このように、指紋センサ１６１用の穴をＮＦＣコイル２０用の穴として共有するため、電子機器１０の筐体にＮＦＣコイル２０用に他の穴をあける必要がなく、また、省スペース化にも寄与できる。
【００３１】
図３は、本実施形態に係るＦＰＲモジュール１６における指紋センサ１６１とＮＦＣコイル２０との配置関係を示す模式図である。ＦＰＲモジュール１６は、ＰＣＢ（Ｐｒｉｎｔｅｄ Ｃｉｒｃｕｉｔ Ｂｏａｒｄ）１６７において指紋センサ１６１とＮＦＣコイル２０とが近接配置されている。近接配置とは、ＮＦＣコイル２０から放射される磁束が指紋センサ１６１に影響を及ぼす程度に近距離に配置されることをいう。図示する例では、指紋センサ１６１の周囲を囲むようにＮＦＣコイル２０が配線されている。例えば、ＮＦＣコイル２０は、ＦＰＣ（Ｆｌｅｘｉｂｌｅ  Ｐｒｉｎｔｅｄ  Ｃｉｒｃｕｉｔｓ）に形成されており、その先はＮＦＣコイル２０を用いて通信処理を行うＮＦＣモジュールに接続される。破線で示す開口部５は、図２の（Ｂ）に示す電子機器１０の開口部５であり、ＦＰＲモジュール１６が電子機器１０に組み込まれたときの位置関係として示している。図示するように、指紋センサ１６１及びＮＦＣコイル２０のコイル部分は、開口部５の穴（開口領域）に収まるように配置されている。
【００３２】
なお、図示する例では、開口部５の穴（開口領域）の内側に、ＮＦＣコイル２０のコイル部分の全部が収まるように配置されているが、少なくとも一部が収まるように配置されてもよい。また、図示する例では、ＮＦＣコイル２０がＦＰＣに形成されているが、ＰＣＢ１６７に形成されてもよい。本実施形態に係るＦＰＲモジュール１６の構造の詳細については後述する。
【００３３】
図４は、電子機器１０に備えられたＮＦＣコイル２０とＮＦＣカード５０に備えられたＮＦＣコイル５１とが電磁結合するときの様子を説明する図である。ＮＦＣでは、１３．５６ＭＨｚの周波数帯を利用する。ＮＦＣコイル２１に利用周波数帯の高周波電流が流れると、周囲に交番磁界が発生しコイルの開口部の一方から他方に１３．５６ＭＨｚの交番磁束２０１が搬送波となって流れる。交番磁束２０１と鎖交する位置までＮＦＣコイル５１が接近すると誘起電圧が発生する。交番磁束２０１は、ＮＦＣコイル２０の近辺に存在する金属にも電圧を誘起するが、それらは各デバイスにとってノイズとなる。交番磁束２０１の一部は、指紋センサ１６１を貫通して流れるため、指紋センサ１６１にもノイズが発生する。そのため、指紋の検出中にＮＦＣコイル２０から磁束が放射されてしまうと、交番磁束２０１の影響を受けて指紋センサ１６１に電荷がたまり誤動作が生じてしまう懸念がある。例えば、交番磁束２０１の影響を受けて指紋センサ１６１に電荷がたまると、指のタッチが無いにも関わらす、指がタッチされたものと誤検出してしまう可能性がある。
【００３４】
そこで、本実施形態に係る電子機器１０は、ＦＰＲによる指紋認証処理の動作状態に応じて、ＮＦＣによる無線通信処理の動作を制御する。具体的には、ＦＰＲによる指紋認証処理の動作状態に応じて、ＮＦＣコイル２０から交番磁束を放射させるか否かを制御する。図５は、本実施形態に係る制御の概要を示す図である。ＦＰＲモジュール１６は、ＦＰＲによる指紋認証処理の動作状態が「アクティブ」であるか否かを示すＦＰＲアクティブ信号（ＦＰＲ＿Ａｃｔｉｖｅ）をＮＦＣモジュール１５へ出力する。ＮＦＣモジュール１５は、ＦＰＲモジュール１６から出力されるＦＰＲアクティブ信号（ＦＰＲ＿Ａｃｔｉｖｅ）が「アクティブ」である場合、ＮＦＣコイル２０から磁束を放射しないように、無線電波（ＮＦＣ_Ｒａｄｉｏ）の出力を禁止する。一方、ＮＦＣモジュール１５は、ＦＰＲモジュール１６から出力されるＦＰＲアクティブ信号（ＦＰＲ＿Ａｃｔｉｖｅ）が「非アクティブ」である場合、ＮＦＣコイル２０から磁束を放射するように、無線電波（ＮＦＣ_Ｒａｄｉｏ）の出力を許可する。これにより、電子機器１０は、ＦＰＲによる指紋認証処理の動作中にＮＦＣコイル２０からの影響を受けないため、指紋センサ１６１による誤動作（誤検出）が生じないようにすることができる。
【００３５】
また、ＮＦＣモジュール１５は、無線通信処理の動作状態が「アクティブ」（通信中）であるか否か示すＮＦＣアクティブ信号（ＮＦＣ＿Ａｃｔｉｖｅ）をＦＰＲモジュール１６へ出力してもよい。そして、ＦＰＲモジュール１６は、ＮＦＣモジュール１５から出力されるＮＦＣアクティブ信号（ＮＦＣ＿Ａｃｔｉｖｅ）が「アクティブ」である場合、ＦＰＲによる指紋認証処理を実行しないように制御してもよい。一方、ＦＰＲモジュール１６は、ＮＦＣモジュール１５から出力されるＮＦＣアクティブ信号（ＮＦＣ＿Ａｃｔｉｖｅ）が「非アクティブ」である場合、ＦＰＲによる指紋認証処理を実行する。これにより、電子機器１０は、既にＮＦＣによる無線通信が行われている最中の場合には、通信中の処理を優先して、ＦＰＲによる指紋認証処理を実行しないため、指紋センサ１６１による誤動作（誤検出）が生じないようにすることができる。
【００３６】
（ＦＰＲモジュールの構造）
次に、図６から図９を参照して、ＦＰＲモジュール１６の構造の一例について説明する。図６は、ＦＰＲモジュール１６の上面図である。また、図７は、ＦＰＲモジュール１６の断面図である。ＦＰＲモジュール１６は、ＰＣＢ１６７の上に階層状に部品（部材）が配置されている。下層から上層に向かって、フェライトシート１６６、ＮＦＣコイル２０、指紋センサ１６１が実装されたＦＰＣ１６５、樹脂フレーム１７１、トップシート１７０の順に配置されている。なお、図６の上面図では、トップシート１７０は、便宜上その枠を破線で示し、その下の部品（部材）が分かるように図示している。また、図８は、ＦＰＲモジュール１６のトップシート１７０と樹脂フレーム１７１を取り除いた状態を示す上面図である。また、図９は、図８に示す状態からさらにＦＰＣ１６５を取り除いた状態を示す上面図である。
【００３７】
ＰＣＢ１６７の上にはＮＦＣコイル２０から放射する磁束を高めるためのフェライトシート１６６が敷かれており、その上にＮＦＣコイル２０（コイルが形成されたＦＰＣ）が重ねて配置されている（図７及び図９参照）。また、ＮＦＣコイル２０の上には、指紋センサ１６１が実装されたＦＰＣ１６５が重ねて配置されている（図７及び図８参照）。ここで、指紋センサ１６１は、ＮＦＣコイル２０のコイル中心付近の位置になるような位置関係である。つまり、ＮＦＣコイル２０は、指紋センサ１６１が実装されたＦＰＣ１６５の下の層で、ＦＰＲモジュール１６を上面視したときに指紋センサ１６１の周囲を囲むように配置されている。また、ＦＰＣ１６５は、サイドからＰＣＢ１６７の裏面側に回り込み、裏面側でＰＣＢ１６７に圧着されている。なお、ＰＣＢ１６７の裏面側には、指紋センサ１６１を用いて指紋認証処理を行う処理回路及び部品などが形成又は実装されている。
【００３８】
樹脂フレーム１７１は、指紋センサ１６１の高さ方向の厚みと同程度の厚みを有した樹脂部材であり、指紋センサ１６１の面積よりも大きい矩形状の穴が略中央に開けられた矩形状の部材である。樹脂フレーム１７１は、上記穴の中に指紋センサ１６１が収まる（入り込む）ように、ＦＰＣ１６５の上に重ねて配置されている（図６及び図７参照）。この樹脂フレーム１７１は、さらにその上にトップシート１７０を乗せるために設けられており、指紋センサ１６１の周囲の空間のスペーサーの役割を担っている。この樹脂フレーム１７１がないと、トップシート１７０を上に乗せたときに指紋センサ１６１の周囲が不安定になってしまう。トップシート１７０は、硬質のマイラー又はガラスなどのシート状の部材であり、ＦＰＲモジュール１６の最上層に設けられた部材となっている（図６及び図７参照）。電子機器１０にＦＰＲモジュール１６に組み込まれた状態で、このトップシート１７０が開口部５（図２参照）に露出し、指紋認証を行うユーザの指が接触する面となる。
【００３９】
上述したＦＰＲモジュール１６の構造例では、一例であってこれに限定されるものではない。例えば、ＮＦＣコイル２０の上に指紋センサ１６１が実装されたＦＰＣ１６５が重ねて配置されている例を説明したが、指紋センサ１６１が実装されたＦＰＣ１６５の上にＮＦＣコイル２０が重ねて配置されてもよい。即ち、指紋センサ１６１が実装されたＦＰＣ１６５の上で、指紋センサ１６１の周囲を囲むようにＮＦＣコイル２０が配置されてもよい。また、指紋センサ１６１が実装されたＦＰＣ１６５とＮＦＣコイル２０とが一体となって構成されてもよい。例えば、指紋センサ１６１が実装されたＦＰＣ１６５にＮＦＣコイルの配線パターンが形成されてもよい。
【００４０】
また、指紋センサ１６１の周囲を囲むようにＮＦＣコイル２０が配置されている例を説明したが、指紋センサ１６１とＮＦＣコイル２０の少なくとも一部が重なるように配置されてもよい。また、トップシート１７０及び樹脂フレーム１７１は、ＦＰＲモジュール１６の構成として予め備えられて（例えば、接着されて）いてもよいし、ＦＰＲモジュール１６とは別の部品として用意され、電子機器１０に組み込む際に、ＦＰＲモジュール１６とともに組み込まれる構成としてもよい。また、電子機器１０の筐体の開口部５が予め樹脂部材などで塞がれている場合、トップシート１７０を省略してもよい。
【００４１】
（電子機器１０の構成）
次に、本実施形態に係る電子機器１０の構成について説明する。
図１０は、本実施形態に係る電子機器１０の構成の一例を示すブロック図である。図示する電子機器１０は、表示部１１と、操作部１２と、記憶部１３と、制御部１４と、ＮＦＣモジュール１５と、ＦＰＲモジュール１６とを備えている。
【００４２】
表示部１１は、画像やテキスト等の情報を表示するディスプレイであり、例えば、液晶ディスプレイパネル、有機ＥＬ（ＥｌｅｃｔｒｏＬｕｍｉｎｅｓｃｅｎｃｅ）ディスプレイパネルなどを含んで構成される。
【００４３】
操作部１２は、キーボード１２１、タッチパッド１２２などの操作入力デバイスであり、ユーザの操作入力を受け付け、受け付けた操作入力に基づく操作信号を出力する。なお、操作部１２は、タッチパネルとしてディスプレイ（表示部１１）と一体に構成されてもよいし、マウスなどの外部接続装置であってもよい。
【００４４】
記憶部１３は、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、ＲＯＭ（Ｒｅａｄ-Ｏｎｌｙ  Ｍｅｍｏｒｙ）、ＲＡＭ（Ｒａｎｄｏｍ  Ａｃｃｅｓｓ  Ｍｅｍｏｒｙ）などを含み、電子機器１０が処理する各種情報や画像、プログラム等を記憶する。なお、記憶部１３は、電子機器１０に内蔵されるものに限らず、ＵＳＢ等のデジタル入出力ポート等によって接続された外付け型の記憶装置でもよい。
【００４５】
制御部１４は、ＣＰＵ（Ｃｅｎｔｒａｌ  Ｐｒｏｃｅｓｓｉｎｇ  Ｕｎｉｔ）などを備え、記憶部１３に記憶されているＯＳ（Ｏｐｅｒａｔｉｎｇ Ｓｙｓｔｅｍ）や各種アプリケーションプログラムなどに基づいて、ＯＳによる処理や各種アプリケーションの処理を実行する。
【００４６】
ＮＦＣモジュール１５は、イニシエータとなって、ターゲットとなるＮＦＣカード５０とパッシブ通信を行うことができる。例えば、ＦＰＲモジュール１６は、ＮＦＣ処理部１５１を備え、ＮＰＣコイル２０をアンテナとして、ＮＰＣコイル２０から交番磁束を放射させることにより無線通信処理を実行する。
【００４７】
図１１は、無線通信処理における磁束の放射タイミングの一例を示す図である。この図において、「ＮＦＣ＿Ｒａｄｉｏ」は、交番磁束の放射タイミング（無線電波の出力タイミング）を示している。また、「ＮＦＣ＿Ａｃｔｉｖｅ」は、前述したように、無線通信処理の動作状態を示すＮＦＣアクティブ信号を示している。
【００４８】
例えば、ＮＦＣ処理部１５１は、電源が投入されると、所定のタイミングで間欠的にＮＰＣコイル２０から交番磁束を放射させる。図示する例では、ＮＦＣ処理部１５１は、３０８ｍｓ（ｍｓｅｃ）の間隔で２ｍｓ（ｍｓｅｃ）ずつ交番磁束を放射させる。この所定のタイミングで間欠的に交番磁束を放射させている期間は、ＮＦＣカード５０との無線通信が行われていない待ち受け状態の期間である。ＮＦＣ処理部１５１は、間欠的に交番磁束を放射させることによりＮＦＣカード５０の接近を検出する。ＮＦＣ処理部１５１は、ＮＦＣカード５０の接近を検出すると、ＮＦＣカード５０と無線通信を開始する。ＮＦＣ処理部１５１は、ＮＦＣカード５０と無線通信を行っている期間は、連続的に交番磁束を放射させる。
【００４９】
また、ＮＦＣ処理部１５１は、間欠的に交番磁束を放射させてＮＦＣカード５０の接近を検出している期間についてはＮＦＣアクティブ信号（ＮＦＣ＿Ａｃｔｉｖｅ）を「０」（非アクティブ）に制御する。また、ＮＦＣ処理部１５１は、ＮＦＣカード５０の接近を検出して無線通信を開始することに応じてＮＦＣアクティブ信号（ＮＦＣ＿Ａｃｔｉｖｅ）を「０」（非アクティブ）から「１」（アクティブ）に制御する。また、ＮＦＣ処理部１５１は、ＮＦＣカード５０との無線通信が終了すると、ＮＦＣアクティブ信号（ＮＦＣ＿Ａｃｔｉｖｅ）を「１」（アクティブ）から「０」（非アクティブ）に戻す。なお、ＮＦＣ処理部１５１は、ＮＦＣアクティブ信号（ＮＦＣ＿Ａｃｔｉｖｅ）をＦＰＲ処理部１６３へ出力してもよい。
【００５０】
図１０に戻り、ＦＰＲモジュール１６は、指紋センサ１６１と、ＬＥＤ１６２と、ＦＰＲ処理部１６３とを備えている。なお、ＮＰＣコイル２０は、構造的にはＦＰＲモジュール１６に含まれるが（図６〜９参照）、機能的には含まれない。ＦＰＲ処理部１６３は、指紋センサ１６１の出力信号に基づいて検出対象となる指の指紋を検出し、検出した指紋を予め登録されている指紋と照合して指紋認証を行う指紋認証処理を実行する。
【００５１】
図１２は、指紋認証処理における指紋検出タイミングの一例を示す図である。この図において、「ＦＰＲ＿ＬＥＤ  ＯＮ」は、ガイド用のＬＥＤ１６２の点灯制御タイミングを示している。また、「ＦＰＲ＿Ｓｃａｎ」は、指紋センサ１６１の検出タイミングを示している。また、「ＦＰＲ＿Ａｃｔｉｖｅ」は、前述したように、指紋認証処理の動作状態を示すＦＰＲアクティブ信号を示している。
【００５２】
ＦＰＲ処理部１６３は、ＯＳの制御により制御部１４から指紋認証処理の開始指示を受け取ると、ＦＰＲアクティブ信号（ＦＰＲ＿Ａｃｔｉｖｅ）を「０」（非アクティブ）から「１」（アクティブ）に制御する。ＦＰＲ処理部１６３は、ＦＰＲアクティブ信号（ＦＰＲ＿Ａｃｔｉｖｅ）の立ち上がりに応じて、ＬＥＤ１６２をＯＮに制御して（ＦＰＲ＿ＬＥＤ  ＯＮ＝「１」）点灯させる。また、ＦＰＲ処理部１６３は、指の接触（開口部５への接触）を検出するプレスキャン（Ｐｒｅ-ｓｃａｎｎｉｎｇ  ｆｉｎｇｅｒ）を開始する。次に、ＦＰＲ処理部１６３は、指の接触を検出すると、指紋を読み取るフルスキャン（Ｆｕｌｌ-ｓｃａｎｎｉｎｇ ｆｉｎｇｅｒ ｐｒｉｎｔ）に移行させる。このとき、ＦＰＲ処理部１６３は、ＬＥＤ１６２をＯＦＦに制御して（ＦＰＲ＿ＬＥＤ  ＯＮ＝「０」）消灯させる。続いて、ＦＰＲ処理部１６３は、指紋を読み取るフルスキャンが終了すると、ＦＰＲアクティブ信号（ＦＰＲ＿Ａｃｔｉｖｅ）を「１」（アクティブ）から「０」（非アクティブ）に制御する。
【００５３】
また、ＦＰＲ処理部１６３は、このＦＰＲアクティブ信号（ＦＰＲ＿Ａｃｔｉｖｅ）をＮＦＣ処理部１５１へ出力する。ＮＦＣ処理部１５１は、入力されたＦＰＲアクティブ信号に基づいて、指紋認証処理の動作状態に応じて無線通信処理の動作を制御する。例えば、ＮＦＣ処理部１５１は、指紋認証処理の動作状態に応じてＮＦＣコイル２０から交番磁束を放射させるか否かを制御する。例えば、ＮＦＣ処理部１５１は、指紋認証処理が開始される際に、ＮＦＣコイル２０から交番磁束を放射させないように制御する。そして、ＦＰＲ処理部１６３は、ＮＦＣ処理部１５１がＮＦＣコイル２０から交番磁束を放射させないように制御した後、指紋認証処理を開始する。また、ＮＦＣ処理部１５１は、指紋認証処理が終了されたことに応じてＮＦＣコイル２０から交番磁束を放射させるように制御する。
【００５４】
なお、この指紋認証処理の動作状態に応じた無線通信処理の制御は、ＮＦＣカード５０と通信中以外のとき（即ち、ＮＦＣアクティブ信号（ＮＦＣ＿Ａｃｔｉｖｅ）が「０」（非アクティブ）のとき）のみ有効とし、ＮＦＣカード５０と通信中のときは、その通信を優先して継続し、通信が終了した後に有効にしてもよい。
【００５５】
図１３は、指紋認証処理の動作状態に応じた無線通信処理の制御タイミングの一例を示す図である。図示するように、ＦＰＲアクティブ信号（ＦＰＲ＿Ａｃｔｉｖｅ）が交番磁束の放射（無線電波の出力、「ＮＦＣ＿Ｒａｄｉｏ」）に対するＤｉｓａｂｌｅ信号としても機能する。ＮＦＣアクティブ信号（ＮＦＣ＿Ａｃｔｉｖｅ）が「０」（非アクティブ）の場合、ＮＦＣ処理部１５１は、ＦＰＲアクティブ信号（ＦＰＲ＿Ａｃｔｉｖｅ）が「１」（アクティブ）の期間はＮＦＣコイル２０から交番磁束を放射させないように「ＮＦＣ＿Ｒａｄｉｏ」をＤｉｓａｂｌｅに制御する。一方、ＮＦＣ処理部１５１は、ＦＰＲアクティブ信号（ＦＰＲ＿Ａｃｔｉｖｅ）が「０」（非アクティブ）の期間についてはＮＦＣコイル２０から交番磁束を放射させるようにＥｎａｂｌｅに制御する。
【００５６】
このように、電子機器１０は、指紋認証処理を行うタイミングではＮＦＣコイル２０から交番磁束を放射させないようにしたため、指紋センサ１６１による誤動作（誤検出）を防止することができ、適切に指紋認証処理を行うことができる。
【００５７】
（処理の動作）
次に図１４を参照して、電子機器１０が、指紋認証処理の動作状態に応じた無線通信処理の制御する処理の動作について説明する。図１４は、本実施形態に係る処理の一例を示すフローチャートである。
【００５８】
（ステップＳ１０１）制御部１４は、ＯＳの制御によりＦＰＲによる指紋認証処理の起動指示をＦＰＲ処理部１６３に対して行う。そして、ステップＳ１０３の処理に進む。
【００５９】
（ステップＳ１０３）ＦＰＲ処理部１６３は、ＮＦＣ処理部１５１から出力されたＮＦＣアクティブ信号（ＮＦＣ＿Ａｃｔｉｖｅ）が「１」（アクティブ）であるか否かを判定する。ＦＰＲ処理部１６３は、ＮＦＣアクティブ信号（ＮＦＣ＿Ａｃｔｉｖｅ）が「１」（アクティブ）であると判定した場合には（ＹＥＳ）、ステップＳ１０５の処理に進み、「０」（非アクティブ）であると判定した場合には（ＮＯ）、再びステップＳ１０３の処理を行う。
【００６０】
（ステップＳ１０５）ＦＰＲ処理部１６３は、ＦＰＲアクティブ信号（ＦＰＲ＿Ａｃｔｉｖｅ）を「１」（アクティブ）に設定し、ステップＳ１０７の処理に進む。
【００６１】
（ステップＳ１０７）ＮＦＣ処理部１５１は、ＦＰＲアクティブ信号（ＦＰＲ＿Ａｃｔｉｖｅ）が「１」（アクティブ）に設定されたことに応じて、ＮＦＣコイル２０から交番磁束を放射させないように「ＮＦＣ＿Ｒａｄｉｏ」をＤｉｓａｂｌｅに制御する。そして、ステップＳ１０９の処理に進む。
【００６２】
（ステップＳ１０９）ＦＰＲ処理部１６３は、ＬＥＤ１６２をＯＮに制御して（ＦＰＲ＿ＬＥＤ  ＯＮ＝「１」）点灯させ、ステップＳ１１１の処理に進む。
【００６３】
（ステップＳ１１１）ＦＰＲ処理部１６３は、指の接触（開口部５への接触）を検出するプレスキャン（Ｐｒｅ-ｓｃａｎｎｉｎｇ  ｆｉｎｇｅｒ）を開始する。そして、ステップＳ１１３の処理に進む。
【００６４】
（ステップＳ１１３）ＦＰＲ処理部１６３は、指紋センサ１６１の出力に基づいて、指の接触が検出されたか否かを判定する。ＦＰＲ処理部１６３は、指の接触が検出された場合には（ＹＥＳ）、ステップＳ１１５の処理に進み、指の接触が検出されていない場合には（ＮＯ）、再びステップＳ１１３の処理を行う。
【００６５】
（ステップＳ１１５）ＦＰＲ処理部１６３は、ＬＥＤ１６２をＯＦＦに制御して（ＦＰＲ＿ＬＥＤ  ＯＮ＝「０」）消灯させ、ステップＳ１１７の処理に進む。
【００６６】
（ステップＳ１１７）ＦＰＲ処理部１６３は、指紋を読み取るフルスキャン（Ｆｕｌｌ-ｓｃａｎｎｉｎｇ ｆｉｎｇｅｒ ｐｒｉｎｔ）に移行させる。そして、ステップＳ１１９の処理に進む。
【００６７】
（ステップＳ１１９）ＦＰＲ処理部１６３は、指紋を読み取るフルスキャン（Ｆｕｌｌ-ｓｃａｎｎｉｎｇ ｆｉｎｇｅｒ ｐｒｉｎｔ）が完了すると、ステップＳ１３１の処理に進む。
【００６８】
（ステップＳ１３１）ＦＰＲ処理部１６３は、ＦＰＲアクティブ信号（ＦＰＲ＿Ａｃｔｉｖｅ）を「０」（非アクティブ）に設定し、ステップＳ１３３の処理に進む。
【００６９】
（ステップＳ１３３）ＮＦＣ処理部１５１は、ＦＰＲアクティブ信号（ＦＰＲ＿Ａｃｔｉｖｅ）が「０」（非アクティブ）に設定されたことに応じて、ＮＦＣコイル２０から交番磁束を放射させるように「ＮＦＣ＿Ｒａｄｉｏ」をＥｎａｂｌｅに制御する。これにより、ＮＦＣ処理部１５１は、間欠的にＮＰＣコイル２０から交番磁束を放射させ、ＮＦＣカードの接近を検出する。
【００７０】
以上説明したように、本実施形態に係る電子機器１０は、ＦＰＲ処理部１６３（第１処理部の一例）と、ＮＦＣ処理部１５１（第２処理部の一例）とを備えている。ＦＰＲ処理部１６３は、指紋センサ１６１（静電容量式センサの一例）の出力信号に基づいて指の指紋（検出対象）の一例を検出する指紋認証処理（第１の処理の一例）を実行する。ＮＦＣ処理部１５１は、ＮＦＣモジュール１５（電磁結合型の無線モジュールの一例）に接続され且つ指紋センサ１６１に近接配置されたＮＦＣコイル２０（コイルの一例）から交番磁束を放射させることにより無線通信処理（第２の処理の一例）を実行する。そして、ＮＦＣ処理部１５１は、指紋認証処理の動作状態に応じて無線通信処理の動作を制御する。例えば、ＮＦＣ処理部１５１は、指紋認証処理の動作状態に応じてＮＦＣコイル２０から交番磁束を放射させるか否かを制御する。
【００７１】
これにより、電子機器１０は、指紋センサ１６１とＮＦＣコイル２０とが近接配置されていたとしても、ＦＰＲによる指紋認証処理の動作に応じてＮＦＣコイル２０からの影響を受けないように制御できるため、指紋センサ１６１による誤動作（誤検出）が生じないようにすることができる。よって、本実施形態によれば、ＮＦＣコイル２０と指紋センサ１６２とを誤動作を防止しつつ近接配置できる。
【００７２】
具体的には、ＮＦＣ処理部１５１は、指紋認証処理が開始される際に、ＮＦＣコイル２０から交番磁束を放射させないように制御してもよい。そして、ＦＰＲ処理部１６３は、ＮＦＣ処理部１５１がＮＦＣコイル２０から交番磁束を放射させないように制御した後、指紋認証処理を開始してもよい。
【００７３】
これにより、電子機器１０は、ＦＰＲによる指紋認証処理の動作中にＮＦＣコイル２０から交番磁束が放射されず影響を受けないため、指紋センサ１６１による誤動作（誤検出）が生じないようにすることができる。よって、本実施形態によれば、ＮＦＣコイル２０と指紋センサ１６２とを誤動作を防止しつつ近接配置できる。
【００７４】
また、ＮＦＣ処理部１５１は、指紋認証処理が終了されたことに応じてＮＦＣコイル２０から交番磁束を放射させるように制御してもよい。
【００７５】
これにより、電子機器１０は、ＦＰＲによる指紋認証処理が終了した後には、ＮＦＣによる無線通信を行うことが可能である。
【００７６】
［第２の実施形態］
次に、本発明の第２の実施形態について説明する。
本実施形態では、指紋認証処理が所定時間以上終了しない場合（例えば、指の接触が検出されない場合）、ＮＦＣによる無線通信処理に移行させる例を説明する。
【００７７】
図１５は、第２の実施形態に係る処理の一例を示すフローチャートである。この図に示す処理は、ステップＳ１２１、Ｓ１２３の処理が追加されたことが図１４に示す処理と異なる。ここでは、図１４に示す処理と異なる処理について説明する。
【００７８】
ステップＳ１１３において指の接触が検出されていない場合（ＮＯ）、ＦＰＲ処理部１６３は、ステップＳ１２１の処理に進み、プレスキャン（Ｐｒｅ-ｓｃａｎｎｉｎｇ  ｆｉｎｇｅｒ）を開始してから所定時間以上経過したか否か（即ち、タイムアウトか否か）を判定する。ＦＰＲ処理部１６３は、所定時間以上経過していないと判定した場合（ＮＯ）、ステップＳ１１３の処理に戻す。一方、ＦＰＲ処理部１６３は、所定時間以上経過したと判定した場合（ＹＥＳ）、ＦＰＲアクティブ信号（ＦＰＲ＿Ａｃｔｉｖｅ）を「０」（非アクティブ）に設定する（ステップＳ１３１）。また、ＮＦＣ処理部１５１は、ＦＰＲアクティブ信号（ＦＰＲ＿Ａｃｔｉｖｅ）が「０」（非アクティブ）に設定されたことに応じて、ＮＦＣコイル２０から交番磁束を放射させるように「ＮＦＣ＿Ｒａｄｉｏ」をＥｎａｂｌｅに制御する（ステップＳ１３３）。これにより、ＮＦＣ処理部１５１は、間欠的にＮＰＣコイル２０から交番磁束を放射させる。即ち、ＮＦＣ処理部１５１は、ＮＦＣによる無線通信処理を開始し、ＮＦＣカードの接近を検出する。
【００７９】
このように、本実施形態では、ＦＰＲ処理部１６３（第１処理部の一例）は、開始した指紋認証処理（第１の処理の一例）が所定時間以上終了しない場合には指紋認証処理を停止する。そして、ＮＦＣ処理部１５１（第２処理部の一例）は、指紋認証処理が所定時間以上終了しない場合にはＮＰＣコイル２０（コイルの一例）から交番磁束を放射させるように制御する。
【００８０】
これにより、電子機器１０は、指紋認証処理で誤動作が起きないようにＮＦＣによる無線通信を一時的に無効にしたとしても、一定時間以上指紋認証が行われない場合（例えば、指が検出されない場合）には、ユーザが指紋認証を行う意思が無いものと判定して、ＮＦＣによる無線通信を有効に切り替えることができる。例えば、電子機器１０のレジュームの際のログイン認証で、指紋認証とＮＦＣカード認証の両方がサポートされている場合には、最初に指紋認証を優先して受け付けるが、一定時間以上指紋認証がされない場合にはユーザがＮＦＣカード認証を利用する意思があるものとみなして、ＮＦＣによる無線通信に自動で切り替えるため、利便性がよい。
【００８１】
［第３の実施形態］
次に、本発明の第３の実施形態について説明する。
本実施形態では、第２の実施形態に加えて、さらにＮＦＣによる無線通信を有効にした後、ＮＦＣカード５０の接近が所定時間以上検出されない場合には再び指紋認証に戻す例を説明する。
【００８２】
図１６は、第３の実施形態に係る処理の一例を示すフローチャートである。この図に示す処理は、ステップＳ１４１、Ｓ１４３、Ｓ１４５、Ｓ１４７の処理が図１５に示す処理と異なる。但し、ステップＳ１４１、Ｓ１４３の処理は、ステップＳ１３１、Ｓ１３３の処理と同様の処理である。ここでは、図１５に示す処理と異なる処理について説明する。
【００８３】
ＦＰＲ処理部１６３は、プレスキャン（Ｐｒｅ-ｓｃａｎｎｉｎｇ  ｆｉｎｇｅｒ）を開始してから所定時間以上経過したと判定した場合（ステップＳ１２１：ＹＥＳ）、ＦＰＲアクティブ信号（ＦＰＲ＿Ａｃｔｉｖｅ）を「０」（非アクティブ）に設定する（ステップＳ１４１）。また、ＮＦＣ処理部１５１は、ＦＰＲアクティブ信号（ＦＰＲ＿Ａｃｔｉｖｅ）が「０」（非アクティブ）に設定されたことに応じて、ＮＦＣコイル２０から交番磁束を放射させるように「ＮＦＣ＿Ｒａｄｉｏ」をＥｎａｂｌｅに制御する（ステップＳ１４３）。これにより、ＮＦＣ処理部１５１は、間欠的にＮＰＣコイル２０から交番磁束を放射させ、ＮＦＣによる無線通信処理を開始する。
【００８４】
次に、ＦＰＲ処理部１６３は、ＮＦＣ処理部１５１から出力されたＮＦＣアクティブ信号（ＮＦＣ＿Ａｃｔｉｖｅ）が「１」（アクティブ）であるか否かを判定する（ステップＳ１４５）。ＦＰＲ処理部１６３は、ＮＦＣアクティブ信号（ＮＦＣ＿Ａｃｔｉｖｅ）が「１」（アクティブ）であると判定した場合には（ＹＥＳ）、ステップＳ１４７の処理に進み、「０」（非アクティブ）であると判定した場合には（ＮＯ）、再びステップＳ１４５の処理を行う。
【００８５】
ステップＳ１４７では、ＦＰＲ処理部１６３は、ステップＳ１４３で「ＮＦＣ＿Ｒａｄｉｏ」をＥｎａｂｌｅに制御してから所定時間以上経過したか否か（即ち、タイムアウトか否か）を判定する。ＦＰＲ処理部１６３は、所定時間以上経過していないと判定した場合（ＮＯ）、ステップＳ１４５の処理に戻す。一方、ＦＰＲ処理部１６３は、所定時間以上経過したと判定した場合（ＹＥＳ）、ステップＳ１０５の処理に戻し、ＦＰＲアクティブ信号（ＦＰＲ＿Ａｃｔｉｖｅ）を「１」（アクティブ）に設定する。これにより、ＮＦＣ処理部１５１は、ＮＦＣコイル２０から交番磁束を放射させないように「ＮＦＣ＿Ｒａｄｉｏ」をＤｉｓａｂｌｅに制御する（ステップＳ１０６）。そして、ＦＰＲ処理部１６３は、ＬＥＤ１６２をＯＮに制御して（ＦＰＲ＿ＬＥＤ  ＯＮ＝「１」）点灯させ（ステップＳ１０９）、プレスキャン（Ｐｒｅ-ｓｃａｎｎｉｎｇ  ｆｉｎｇｅｒ）を開始する（ステップＳ１１１）。
【００８６】
なお、ステップＳ１２１の判定に用いる所定時間（タイムアウト時間）と、ステップＳ１４７の判定に用いる所定時間（タイムアウト時間）とは、同じ時間が予め設定されていてもよいし、異なる時間が予め設定されていてもよい。
【００８７】
このように、本実施形態では、ＦＰＲ処理部１６３（第１処理部の一例）及びＮＦＣ処理部１５１（第２処理部の一例）は、指紋認証処理（第１の処理の一例）と無線通信処理と（第２の処理の一例）とを、それぞれタイムアウトするたびに（所定の条件の一例）交互に実行させる。
【００８８】
これにより、電子機器１０は、例えば、電子機器１０のレジュームの際のログイン認証で、指紋認証とＮＦＣカード認証の両方がサポートされている場合には、いずれかの認証が成立するまで、自動で交互に処理を切り替えるため、利便性がよい。なお、いずれの認証も成立しないまま一定時間以上経過した場合には、この自動で切り替える処理を制御部１４が停止して、いずれかの処理を継続するようにしてもよい。
【００８９】
［変形例］
上記実施形態では、ＮＦＣ処理部１５１が指紋認証処理の動作状態に応じてＮＦＣコイル２０から交番磁束を放射させるか否かを制御する例を説明したが、ＮＦＣコイル２０から放射する交番磁束の強弱を制御してもよい。例えば、ＮＦＣ処理部１５１は、ＮＦＣコイル２０から交番磁束を放射させないように制御するのに代えて、ＮＦＣコイル２０から放射する交番磁束を指紋センサ１６１に影響しないレベルに抑えてもよい。
【００９０】
また、上記実施形態では、指紋センサ１６１とＮＦＣコイル２０とを近接配置させた構成における制御を説明したが、指紋センサ１６１に代えて、他の処理に用いられる静電容量式センサとＮＦＣコイル２０とを近接配置させた構成にも適用してもよい。
【００９１】
なお、上述した電子機器１０は、内部にコンピュータシステムを有している。そして、上述した電子機器１０が備える各構成の機能を実現するためのプログラムをコンピュータ読み取り可能な記録媒体に記録して、この記録媒体に記録されたプログラムをコンピュータシステムに読み込ませ、実行することにより上述した電子機器１０が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００９２】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に電子機器１０が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００９３】
また、上述した実施形態における電子機器１０が備える各機能の一部、または全部を、ＬＳＩ（Ｌａｒｇｅ  Ｓｃａｌｅ  Ｉｎｔｅｇｒａｔｉｏｎ）等の集積回路として実現してもよい。各機能は個別にプロセッサ化してもよいし、一部、又は全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００９４】
また、上記実施形態では、電子機器１０がラップトップ型のＰＣの例で説明したが、これに限定されるものではなく、スマートフォンなどの携帯電話機や、タブレットＰＣ、デスクトップ型のＰＣ、ゲーム機など様々な電子機器にも適用できる。
【００９５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９６】
５  開口部、１０  電子機器、１１  表示部、１２  操作部、１２１  キーボード、１２２  タッチパッド、１３  記憶部、１４  制御部、１５  ＮＦＣモジュール、１５１  ＮＦＣ処理部、１６  ＦＰＲモジュール、１６１  指紋センサ、１６２  ＬＥＤ、１６３  ＦＰＲ処理部、１６５  ＦＰＣ、１６６  フェライトシート、１６７  ＰＣＢ、１７０  トップシート、１７１  樹脂フレーム、２０  ＮＦＣコイル
【図１】
2020017787.tif 000003
【図２】
2020017787.tif 000004
【図３】
2020017787.tif 000005
【図４】
2020017787.tif 000006
【図５】
2020017787.tif 000007
【図６】
2020017787.tif 000008
【図７】
2020017787.tif 000009
【図８】
2020017787.tif 000010
【図９】
2020017787.tif 000011
【図１０】
2020017787.tif 000012
【図１１】
2020017787.tif 000013
【図１２】
2020017787.tif 000014
【図１３】
2020017787.tif 000015
【図１４】
2020017787.tif 000016
【図１５】
2020017787.tif 000017
【図１６】
2020017787.tif 000018